(57)【特許請求の範囲】
【請求項１】
上方にフック部を備えて乾電池を収納した状態でつり下げ可能な電池用パッケージであって、略矩形状の前面と後面が上面および下面を介して連結されてなる折り畳み可能な中空角筒を主体として、前面および後面の左右縁辺に連接されたフラップがそれぞれの連接縁辺を折り線として前記角筒内方向へ折り曲げられて左右に２重の側面が形成され、当該２重側面において角筒内に面したフラップの縁辺には係止突片が突設され、外面のフラップの前記折り線上には前記係止突片が挿入される係止口が開口していることを特徴とする店頭ディスプレイ用電池パッケージ。
【請求項２】
請求項１において、上面および下面が前後に斜面を有するほぼ前後左右に対称な山型および谷型の屈折面で形成されているとともに、上面と下面の前記斜面がそれぞれ略逆台形状と略台形状とに形成されており、前面および後面の左右縁辺に連接する前記フラップは、上面と下面の前側斜面および後側斜面の左右縁辺にも連接されて、これらフラップが当該各連接縁辺を山折り線とするとともに、前面および後面の上縁辺と下縁辺とを左右に延長した線分を谷折り線として折り曲げられて前記側面が形成されていることを特徴とする店頭ディスプレイ用電池パッケージ。
【請求項３】
請求項２において、前記角筒内に面したフラップの縁辺は、角が面取りされていることを特徴とする店頭ディスプレイ用電池パッケージ。
【請求項４】
請求項２において、少なくとも前記係止口を備えた前記フラップには、上面および下面の前記斜面に連接する前記山折り線上と前記谷折り線上の一方あるいは両方に切り込みが画成されていることを特徴とする店頭ディスプレイ用電池パッケージ。
【請求項５】
請求項２において、前記フック部は、少なくとも一方につり下げ機構を備えたフラップを２枚貼り合わせて形成されており、これらフラップの一方が上面の前側斜面の上縁辺に連接され、他方が後側斜面の上縁辺に連接されていることを特徴とする店頭ディスプレイ用電池パッケージ。
【請求項６】
請求項２において、前記中空角筒が折り畳まれた状態では、下面の前後斜面の境界線分で折り返されて、前後面同士および前後のフラップ同士が折り合わされていることを特徴とする店頭ディスプレイ用電池パッケージ。
【請求項７】
請求項６において、下面の前記境界線線分上に切り込みが画成されていることを特徴とする店頭ディスプレイ用電池パッケージ。
【請求項８】
請求項１または２において、後面を広く開口してパッケージを開封するためのミシン目が、後面の左右縁辺の一部に左右対称にして沿いつつ、ミシン目の継ぎ目が無い端部へ向けて収束するように屈折して画成されていることを特徴とする店頭ディスプレイ用電池パッケージ。
【請求項９】
請求項２において、後面を広く開口してパッケージを開封するためのミシン目が、後面の左右縁辺の一部に左右対称にして沿いつつ、上面または下面の後側斜面に画成されたミシン目の継ぎ目が無い端部へ向けて収束するように屈折して画成されているとともに、当該端部が前記斜面に沿って屈曲されずに斜面と離間して後面に沿って延長して形成されてることを特徴とする店頭ディスプレイ用電池パッケージ。
【請求項１０】
請求項９において、前記ミシン目は、下面または上面の後側斜面の縁辺に画成されたミシン目に連続していることを特徴とする店頭ディスプレイ用電池パッケージ。
【請求項１１】
請求項１または２において、後面を広く開口してパッケージを開封するためのジッパーが、後面の左右縁辺の上端あるいは下端近傍からジッパーの継ぎ目が無い端部へ向けて収束するように画成されていることを特徴とする店頭ディスプレイ用電池パッケージ。
【請求項１２】
請求項２において、後面を広く開口してパッケージを開封するためのジッパーが、後面の左右縁辺の上端あるいは下端近傍から、上面または下面の後側斜面に画成されたジッパーの継ぎ目が無い端部へ向けて収束するように屈折して画成されているとともに、当該端部が前記斜面に沿って屈曲されずに斜面と離間して後面に沿って延長して形成されてることを特徴とする店頭ディスプレイ用電池パッケージ。
【請求項１３】
請求項１２において、前記ジッパーは、下面または上面の後側斜面の縁辺に画成されたミシン目に連続していることを特徴とする店頭ディスプレイ用電池パッケージ。
【請求項１４】
請求項１〜１３に記載の電池パッケージの起源となる型プレートであって、該型プレートは型紙などの単一素材からなる型プレートからなり、下面を前後に分かつ境界線に対して前後面が対象に展開された裁断形状であることを特徴とする店頭ディスプレイ用電池パッケージの型プレート。
【発明の詳細な説明】
【０００１】
【発明の属する技術分野】
この発明は、上方にフック部を備えて乾電池を収納した状態でつり下げ可能な電池パッケージに関する。
【０００２】
【発明の背景】
乾電池がつり下げ可能なパッケージに収納された状態で店頭販売されているのをよく見かける。この電池パッケージは、厚紙でできた後面シートと、透明な覆い（ブリスター）が形成された前面プラスチックシートとを貼り合わせた形態で、上方に双方のシートを貫通する開口によってつり下げ用のフック部が形成されている。電池はブリスター内に収納される。複数本の電池であれば、並列に１列に並べられた状態で収納される。また、後面シートにはミシン目が画成されており、ブリスター内の電池を取り出す際には、このミシン目を押し破ったのち、そのミシン目の破断部分を今度は手前に引き裂いてパッケージの後面を広く開封する。
【０００３】
しかし、このブリスター型電池パッケージは、紙シートとプラスチックシートとが貼着されているため、双方を完全に分離することが難しい。そのため、ゴミの分別回収が一般常識となった現在においては、このタイプのパッケージは疎まれる傾向にある。製造者としても、環境に優しい電池パッケージへの転換は、社会的な信用を維持するためにも火急の課題となっている。
【０００４】
また環境問題からの要求に加え、自動化工程によってブリスター型電池パッケージを製造するよりも、人件費の安い海外に生産拠点をシフトさせて人手によって電池パッケージを組み立てた方がコストダウンが図れるという現状からも電池パッケージの形態転換が求められている。
【０００５】
【発明の開示】
上述した電池パッケージに対する形態転換の必要性を考えると、今後は、単一の素材による人の手で組み立てが可能な店頭ディスプレイ用電池パッケージが主流となることは間違いない。そこで本発明者らは、これからの電池パッケージに求められる仕様や特徴について考察した。そして、輸送時には開封され難く、電池を取り出すときに容易に開封でき、かつ、組み立てが容易な構造や形状を備えていることが理想的であるという結論に想到した。また、外部からの衝撃が内部の電池に伝わり難く、複雑な工程を経なくても高い精度で組み立てることができる構造や形状とすることも必要であると考えた。収納電池を素早く取り出せる開封機構もあれば、より好ましいとも考えた。
したがって、本発明は上記考察に基づきなされたもので、その目的は理想的な店頭ディスプレイ用電池パッケージを提供することにある。
【０００６】
上記目的を達成するための第１の発明は、上方にフック部を備えて乾電池を収納した状態でつり下げ可能な電池用パッケージであって、略矩形状の前面と後面が上面および下面を介して連結されてなる折り畳み可能な中空角筒を主体として、前面および後面の左右縁辺に連接されたフラップがそれぞれの連接縁辺を折り線として前記角筒内方向へ折り曲げられて左右に２重の側面が形成され、当該２重側面において角筒内に面したフラップの縁辺には係止突片が突設され、外面のフラップの前記折り線上には前記係止突片が挿入される係止口が開口している店頭ディスプレイ用電池パッケージとしている。
【０００７】
第２の発明は、第１の発明において、上面および下面が前後に斜面を有するほぼ前後左右に対称な山型および谷型の屈折面で形成されているとともに、上面と下面の前記斜面がそれぞれ略逆台形状と略台形状とに形成されており、前面および後面の左右縁辺に連接する前記フラップは、上面と下面の前側斜面および後側斜面の左右縁辺にも連接されて、これらフラップが当該各連接縁辺を山折り線とするとともに、前面および後面の上縁辺と下縁辺とを左右に延長した線分を谷折り線として折り曲げられて前記側面が形成されている店頭ディスプレイ用電池パッケージとしている。
【０００８】
第２の発明において、前記角筒内に面したフラップの縁辺は、角が面取りされている店頭ディスプレイ用電池パッケージを第３の発明とした。
【０００９】
また第２の発明において、少なくとも前記係止口を備えた前記フラップには、上面および下面の前記斜面に連接する前記山折り線上と前記谷折り線上の一方あるいは両方に切り込みが画成されている店頭ディスプレイ用電池パッケージを第４の発明とした。。
【００１０】
第５の発明は、第２の発明において、前記フック部は、少なくとも一方につり下げ機構を備えたフラップを２枚貼り合わせて形成されており、これらフラップの一方が上面の前側斜面の上縁辺に連接され、他方が後側斜面の上縁辺に連接されている店頭ディスプレイ用電池パッケージとしている。
【００１１】
第６の発明は、第２の発明に記載の店頭ディスプレイ用電池パッケージであって、前記中空角筒が折り畳まれた状態では、前記下面の前後斜面の境界線分で折り返されて、前面と後面同士および前後のフラップ同士が折り合わされている。
【００１２】
また、第６の発明において、前記下面の境界線線分上に切り込みが画成されている店頭ディスプレイ用電池パッケージを第７の発明とした。
【００１３】
第８の発明は、第１または第２の発明において、後面を広く開口してパッケージを開封するためのミシン目が、後面の左右縁辺の一部に左右対称にして沿いつつ、継ぎ目の無い端部へ向けて収束するように屈折して画成されている店頭ディスプレイ用電池パッケージとした。
【００１４】
第９の発明は、第２の発明において、後面を広く開口してパッケージを開封するためのミシン目が、後面の左右縁辺の一部に左右対称にして沿いつつ、上面または下面の後側斜面に画成されたミシン目の継ぎ目が無い端部へ向けて収束するように屈折して画成されているとともに、当該端部が前記斜面に沿って屈曲されずに斜面と離間して後面に沿って延長して形成されてる店頭ディスプレイ用電池パッケージ。
【００１５】
第９の発明において、前記ミシン目は、下面または上面の後側斜面の縁辺に画成されたミシン目に連続している店頭ディスプレイ用電池パッケージを第１０の発明とした。
【００１６】
第１１の発明は、第１または第２の発明において、後面を広く開口してパッケージを開封するためのジッパーが、後面の左右縁辺の上端あるいは下端近傍からジッパーの継ぎ目が無い端部へ向けて収束するように画成されている店頭ディスプレイ用電池パッケージとしている。
【００１７】
第１２の発明は、第２の発明において、後面を広く開口してパッケージを開封するためのジッパーが、後面の左右縁辺の上端あるいは下端近傍から、上面または下面の後側斜面に画成されたジッパーの継ぎ目が無い端部へ向けて収束するように屈折して画成されているとともに、当該端部が前記斜面に沿って屈曲されずに斜面と離間して後面に沿って延長して形成されてる店頭ディスプレイ用電池パッケージとした。
【００１８】
第１２の発明において、前記ジッパーは、下面または上面の後側斜面の縁辺に画成されたミシン目に連続している店頭ディスプレイ用電池パッケージを第１３の発明とした。
【００１９】
第１４の発明は、第１〜第１３の発明に記載の電池パッケージの起源となる型プレートであって、該型プレートは型紙などの単一素材からなる型プレートからなり、下面を前後に分かつ境界線に対して前後面が対象に展開された裁断形状である店頭ディスプレイ用電池パッケージの型プレートとした。
【００２０】
【発明の実施の形態】
＝＝＝基本的な構造と特徴＝＝＝
図１は本発明の実施例における店頭ディスプレイ用電池パッケージ（以下、電池パッケージ）の外観図を示している。また、図２（Ａ）（Ｂ）のそれぞれにこのパッケージ１の前面図と右側面図とを示した。この電池パッケージ１は、厚紙でできており、略矩形状の前面２および後面３が上面４および下面５を介して連結されてなる中空角筒を主体とした構造となっている。中空角筒内は電池の収納空間であり、単３型乾電池を上下に４本、並列に並べて収納することができる。上面４の上方には開口１１ａを有する矩形状プレート１１ｂが連接されてフック部１１が形成されている。なお、この電池パッケージ１は、前面２に内部の電池を確認するための窓１０が開口している。
【００２１】
図３に電池パッケージ１の左側面６および右側面７を開いた状態をそれぞれ（Ａ）（Ｂ）の外観図によって示した。中空角筒の左右開口を閉鎖する左右側面６，７は、前面２の左右縁辺２ａ，２ｂに連接されたフラップ６ａ，７ａと後面３の左右縁辺３ａ，３ｂに連接されたフラップ６ｂ，７ｂを各連接縁辺２ａ，２ｂ，３ａ，３ｂで角筒内方向に折り曲げてなる２重側面となっている。後面３に連接されているフラップ６ｂ，７ｂの縁辺６ｃ，７ｃには凸状の舌片（係止突片）８が突設され、前面２とフラップ６ａ，７ａとの連接縁辺２ａ，２ｂ上にはこの係止突片８が挿入される開口（係止口）９が設けられており、係止突片８のあるフラップ６ｂ，７ｂ、係止口のあるフラップ６ａ，７ａをこの順にそれぞれの連接縁辺に沿って折り曲げると、係止突片８と係止口９とが係合して２重側面６，７が形成されて収納空間が閉鎖される。
【００２２】
普通、２重の側面で電池収納空間を閉鎖する構造の電池パッケージは、重ね合わされたフラップを貼着するのが一般的である。しかし、このような構造では輸送中などに側面の貼着部分が剥がれると、パッケージ内部の電池を収納空間に留める力がなくなり電池が容易に外に出てしまう。それに対し、本実施例の構造では、たとえ外側のフラップ６ａ，７ａが開いたとしても、内側のフラップ６ａ，６ｂの係止突片８が係止口９に係合しているので収納空間は閉鎖されたままの状態に維持される。
【００２３】
＝＝＝収納電池の保護構造＝＝＝
さらに電池パッケージ１は、上面４の前後が斜面４ａ，４ｂになっており、これら前後斜面４ａ，４ｂの下縁がそれぞれ前後面２，３の上縁辺２ｃ，３ｃに連接されている。すなわち上面４は山型の屈折面となっている。また、前後の斜面４ａ，４ｂは左右対称の逆台形状であり、これら斜面４ａ，４ｂを分かつ境界線分４ｃにフック部１１が連接されている。下面５は、上面４と同じく前後が斜面５ａ，５ｂとなる谷型の屈折面であり、前後斜面５ａ，５ｂの上縁がそれぞれ前後面２，３の下縁辺２ｄ，３ｄに連接している。また、斜面５ａ，５ｂの形状は左右対称の台形状で、上面４の斜面４ａ，４ｂとは上下に対象な形状となっている。
【００２４】
前面２および後面３に連接されているフラップ６ａ，７ａ，６ｂ，７ｂは、上面４と下面５の前側斜面４ａ，５ａおよび後側斜面４ｂ，５ｂの左右縁辺４ｄ，４ｅ，５ｄ，５ｅにも連接されており、側面６，７の形状に近似する略六角形状となっている。
【００２５】
以上の構造により、前後に扁平な６角筒状の電池の収納空間が形成され、この空間に電池を収納したとき、上面４の山や下面５の谷の部分が空隙となる。また側面６，７の上下端部が左右に張り出すため、収納空間の４隅にも空隙ができる。それによって、内部の電池に大きなダメージを与えるとされる面積の小さな上下左右の面４〜７に加わる外力に対し、これらの空隙が緩衝となって内部の電池を保護することができる。
【００２６】
＝＝＝電池パッケージの組み立て＝＝＝
本実施例の電池パッケージ１は、組み立て易い構造や形状、機能も有している。図４は、電池パッケージ１の起源となる組み立て前の型紙の状態を展開図によって示している。この図において、実線は裁断線を示しており、点線と一点鎖線はそれぞれ谷折り（紙面奥から手前へ）の折り線と山折りの折り線を示している。電池パッケージ１の展開形状は、下面５の前後斜面５ａ，５ｂの境界線分５ｃに対してほぼ対象であり、この対象線５ｃから上には、下面５の前側斜面５ａ・前面２・上面４の前側斜面４ａ・フック部１１の前面プレート１１ｃの順に下から上に連接されており、この一連の連接形状の左右に前面２側のフラップ６ａ，７ａが連接されている。一方、対象線５ｃから下には、下面５の後側斜面５ｂ・後面３・上面４の後側斜面４ｂ・フック部１１の後面プレート１１ｄの順に上から下に連接されており、この連接形状の左右に後面３側のフラップ６ｂ，７ｂが連接されている。
【００２７】
＜組み立て手順＞
図５は、型紙の状態から実際に電池パッケージ１を組み立てるまでの手順図を示している。まず、下面５の前後斜面５ａ，５ｂを分かつ境界線５ｃで型紙を折り返すとともに、フック部１１となる前後のプレート１１ｃ，１１ｄを貼着して上面４の前後斜面４ａ，４ｂを連結し、電池の収納空間が折り畳まれた状態にする（Ａ）。なお、フック部１１の前後のプレート１１ｃ，１１ｄが貼着された折り畳み形態は、上下に長く折れやすい型紙のままの形態とは異なり、別の場所にある後段の組み立て工程の現場に搬送する場合などに、コンパクトで型くずれしにくい理想的な荷姿となる。
【００２８】
次に、この折り畳み形態から、後面３側の左右のフラップ６ｂ，７ｂを折り曲げて係止突片８を前面２側のフラップ６ａ，７ａの係止口９に係合させ（Ｂ）、前面２のフラップ６ａ，７ａを後面３側に折り曲げて側面６，７を形成し、電池パッケージ１を完成させる（Ｃ）。
【００２９】
＜組み立て精度の向上＞
本実施例の電池パッケージ１は、極めて単純な工程だけで組み立てることができる基本構造や形状を備えるとともに、組み立て精度の向上を図ったり、組み立て時に型紙が意図しない形状に変形するのを防止したりするための構造・形状も備えている。例えば、型紙の折り返しの境界線５ｃには切り込み１２が画成されており、折り畳み形態にする際に境界線５ｃを逸脱した線分で折り返されないようにして、組み立て精度を向上させている。
【００３０】
＜組み立て時の変形防止＞
また、係止突片８のある後面側フラップ６ｂ，７ｂの縁辺６ｃ，７ｃは、開いた状態にある前面側フラップ６ａ，７ａの裏面に摺動しつつ係止口９と係合するまで折り曲げられる。そこで、この摺動摩擦を軽減するために、係止突片８のあるフラップ６ｂ，７ｂの縁辺６ｃ，７ｃの角１５が面取されてＲ状に形成されている。それによって、後面側フラップ６ｂ，７ｂを抵抗感無く容易に折り曲げることができるとともに、摩擦によってフラップ６ｂ，７ｂや係止突片８が屈曲したり、型紙が剥離したりすることを防止している。
【００３１】
＜確実な閉鎖機構＞
さらに、電池パッケージ１を組み立てる過程には収納空間に電池を収納する工程が含まれることから、２重側面６，７が確実に収納空間を閉鎖する機構が必要となる。そのためには、フラップ６ａ，６ｂ，７ａ，７ｂが所定の折り曲げ状態と所定の展開状態の２つの状態で固定され、中途半端な中間状態になりにくい「双安定性」を備えていることが望ましい。もちろん、この双安定性は電池を取り出す際にも有効である。
【００３２】
本実施例では、この双安定性を実現するために、係止口９のある前面側フラップ６ａ，７ａにおいて、上面４および下面５の前側斜面４ａ，５ｂと連接する山折り線４ｄ，５ｄ上と、前後面２，３の上縁辺２ａ，３ａと下縁辺２ｂ，３ｂを左右に延長した線分、すなわち側面６，７の上下端が左右に張り出して反る際の谷折り線６ｄ，７ｄ上とに、それぞれ切り込み１３，１４が画成されている。
【００３３】
この切り込み１３，１４は、前面側フラップ６ａ，７ａが展開されているときには、このフラップ６ａ，７ａが折り線に沿って自然に曲がろうとする力に対する抑止力を発生するとともに、その抑止力に抗してフラップ６ａ，７ａを折り曲げる際には積極的に折り線で曲がろうとする力に転換する。そして、折り曲げ状態にある後面側フラップ６ｂ，７ｂを上から押さえつける位置まで折り曲げられると、今度は、展開しようとする力に対して抑止力を発揮する。なお、この切り込み１３，１４は、少なくとも山折り線４ｄ上と谷折り線６ｄ上のいずれか一方にあればよい。もちろん、前面側フラップ６ａ，７ａに加えて係止突片８のある後面側フラップ６ｂ，７ｂにも同様な切り込みを備えさせてもよい。
【００３４】
なおミシン目に代えてジッパーによる開封機構を採用してもよい。このジッパーによる開封機構を備えて電池パッケージの例を図７に示した。後面の左右縁辺の下端から徐々に収束して端部へと連続するようにジッパーが形成されている。
【００３５】
＝＝＝第２の実施例：補助開封機構＝＝＝
上記実施例に示した電池パッケージ１は、側面６，７のフラップ６ａ，６ｂ，７ａ，７ｂを展開するだけでパッケージ１の外装を破ることなく内部の電池を簡単に取り出すことができる。そのため、利用者が電池パッケージ１を電池の携帯ケースとして使用するなど、その後も適宜に利用することができる。その反面、電池パッケージ１に用が無い人にとっては、わざわざフラップ６ａ，６ｂ，７ａ，７ｂを展開しなくても素早く内部の電池が取り出せた方がより便利である。本発明では、電池を素早く取り出すのに便利な補助開封機構も提供している。以下、この補助開封機構を備えた電池パッケージを本発明の第２の実施例として説明する。
【００３６】
図６に本発明の第２の実施例における電池パッケージを後面からの斜視図によって示した。この電池パッケージ１ｂの補助開封機構は、後面３を広く開封して電池を取り出すためのものであり、後面３の左右縁辺３ａ，３ｂの一部２１ａには左右対象のミシン目２１が画成されているとともに、この左右縁辺３ａ，３ｂに沿ったミシン目２１を収束するように屈折させ、その収束部２１ｂの先端にはミシン目２１の継ぎ目が無い端部２１ｃが設けられている。開封時にこの端部２１ｃを手前に引き出し、そのままパッケージ１ｂを引き裂くと、収束部２１ａのミシン目２１が徐々に後面３の左右縁辺２１ａのミシン目２１へと案内し、ミシン目２１を外れてパッケージ１ｂが引き裂かれないようになっている。
【００３７】
またこの第２の実施例では、端部２１ｃは上面４の後側斜面４ｂに画成されており、型紙を折り曲げてこの電池パッケージ１ｂを組み立てると、端部２１ｃが上面４の後側斜面４ｂから切り離されて後面３に沿って延長するように設けられる。そのため、斜面４ｂと端部２１ｃとの間に指を入れることができ、容易に端部２１ｃを摘むことができる。
【００３８】
さらにミシン目２１は、端部２１ｃとは反対側の斜面５ｂの縁辺５ｅに連続しており、ミシン目２１を全て破断すると、端部２１ｃから下面５の後側斜面５ｂまで後面３が大きく開封され、電池がより容易に取り出せるようになっている。
【００３９】
なお、ジッパーによる補助開封機構を採用することもできる。図７にジッパーによる補助開封機構を備えた電池パッケージの外観図を示した。ジッパーが折り線と重なると、組み立て時にジッパーに沿って折れ曲がってしまう可能性があることから、ジッパー２２を後面の左右縁辺３ａ、３ｂの下端近傍から徐々に端部２２ｂへ向けて収束させている。またこの例では、下面５の後斜面５ｂの縁辺５ｅにミシン目２３が画成されており、ジッパー２２がこのミシン目２３に連続している。、
＝＝＝その他の実施例・変更例＝＝＝
上記各実施例に示した電池パッケージは、いずれも４本の乾電池を左右に寝かした状態で上下に並べて収納している。もちろん、収納される電池の数や収納方向はこれに限るものではない。また、２重側面となるフラップの係合突片と係合口の数やそれらの係合位置も適宜に変更可能である。図８に収納される電池の数や方向を変更した電池パッケージを例示した。（Ａ）は上下方向に８本の電池を並列にして収納することができる電池パッケージであり、係止突片と係止口による係合箇所が左右の側面にそれぞれ２つずつ設けられている。また（Ｂ）には２本の電池を左右方向に並列にして収納できる電池パッケージを示した。
なお当然のことではあるが、フック部の形状、前面の確認用窓の形状や有無、電池パッケージの素材などは適宜に変更可能であり、上記実施例に限るものではない。
【００４０】
【発明の効果】
本発明の店頭ディスプレイ用電池パッケージによれば、電池収納空間が係止突片を備えたフラップと係止口を備えたフラップとを重ね合わせて２重側面で閉鎖されているため、輸送時などにパッケージが開封して電池が脱落・破損することがない。また、電池を取り出す際には容易に開封することができる。組み立ても容易で生産コストも抑えることもできる。
【００４１】
単一の素材で製造することができ、リサイクルや廃棄時には分別が不要となる。したがって、環境問題に十分対応することができる。
【図面の簡単な説明】
【図１】本発明の実施例における店頭ディスプレイ用電池パッケージの外観図を示している。
【図２】上記実施例の前面図と右側面図とをそれぞれ（Ａ）と（Ｂ）に示した。
【図３】上記実施例においてフラップを開いた状態を外観図によって示している。（Ａ）に左側フラップを開いた状態の斜視図を示し、（Ｂ）に右側フラップを開いた状態の斜視図を示した。、
【図４】上記実施例を型紙に展開したときの裁断図を示している。
【図５】上記実施例の組み立て過程を（Ａ）〜（Ｃ）の工程手順図によって示した。
【図６】本発明の第２の実施例における店頭ディスプレイ用電池パッケージの外観図を示している。
【図７】上記第２の実施例の変更形態における店頭ディスプレ用電池パッケージの外観図を示している。
【図８】本発明の変更例における店頭ディスプレイ用電池パッケージを（Ａ）と（Ｂ）に示した。
【符号の説明】
１、１ｂ  店頭ディスプレイ用電池パッケージ
２  前面
３  後面
４  上面
４ａ、４ｂ  上面の斜面
５  下面
５ａ、５ｂ  下面の斜面
６、７  側面
６ａ，６ｂ，７ａ，７ｂ  フラップ
８  係止突片
９  係止口
１１  フック部
２１、２３  ミシン目
２１ｃ  ミシン目の端部
２２  ジッパー
２２ｂ  ジッパーの端部
【図１】
0003784329.tif 000002
【図２】
0003784329.tif 000003
【図３】
0003784329.tif 000004
【図４】
0003784329.tif 000005
【図５】
0003784329.tif 000006
【図６】
0003784329.tif 000007
【図７】
0003784329.tif 000008
【図８】
0003784329.tif 000009